(57)【要約】【課題】手で画像記録装置の操作をすることが困難な場合でも、足や膝、肘等で容易に操作可能な位置に別の操作スイッチを設けると共に、別の操作スイッチが操作されたときは、使用者の原稿を読み取らせる準備作業に必要な時間を設けて読取作動が行えるようにした画像記録装置を提供すること。【解決手段】原稿を読み取る原稿読取手段と、前記原稿読取手段を制御する制御手段とを備えた画像記録装置において、前記制御手段を作動させる第１の作動開始手段と、前記第１の作動開始手段の設置された前記画像記録装置上の位置とは異なる位置に第２の作動開始手段を設け、前記制御手段は、前記第２の作動開始手段が操作されたことを検知したときは、予め設定された所定時間間隔で前記原稿読取手段を作動させるようにしたこと。【選択図】        図１
2004180091.tif 000002
【特許請求の範囲】
【請求項１】
原稿を読み取る原稿読取手段と、前記原稿読取手段を制御する制御手段とを備えた画像記録装置において、前記制御手段を作動させる第１の作動開始手段と、前記第１の作動開始手段の設置された前記画像記録装置上の位置とは異なる位置に第２の作動開始手段を設け、前記制御手段は、前記第２の作動開始手段が操作されたことを検知したときは、予め設定された所定時間間隔で前記原稿読取手段を作動させるようにしたことを特徴とする画像記録装置。
【請求項２】
前記制御手段は、前記第２の作動開始手段が継続して操作されていることを検知したときは、予め設定された所定時間間隔で前記原稿読取手段を繰り返して作動させるようにしたことを特徴とする請求項１に記載の画像記録装置。
【請求項３】
前記制御手段は、前記第２の作動開始手段が操作されたことを検知して前記原稿読取手段を作動させた後に、前記第１の作動開始手段が操作されたことを検知したときは、前記原稿読取手段の作動を終了するようにしたことを特徴とする請求項１又は請求項２に記載の画像記録装置。
【請求項４】
入力手段を備え、前記入力手段により前記所定時間を変更できるようにしたことを特徴とする請求項１乃至請求項３に記載の画像記録装置。
【請求項５】
原稿を読み取る原稿読取手段と、前記原稿読取手段が読み取った原稿の原稿データに基づき記録部材上に画像を形成する画像形成手段と、前記原稿読取手段と前記画像形成手段を同期させて画像形成を行う制御手段とを備えた画像記録装置において、前記制御手段を作動させる第１の作動開始手段と、前記第１の作動開始手段の設置された前記画像記録装置上の位置とは異なる位置に第２の作動開始手段を設け、前記制御手段は、前記第２の作動開始手段が操作されたことを検知したときは、予め設定された所定時間間隔で前記原稿読取手段と前記画像形成手段を同期させて画像形成を行うようにしたことを特徴とする画像記録装置。
【請求項６】
前記制御手段は、前記第２の作動開始手段が操作されたことを検知したときは、予め設定された所定時間間隔で繰り返して前記原稿読取手段と前記画像形成手段を同期させて画像形成を行うようにしたことを特徴とする請求項５に記載の画像記録装置。
【請求項７】
前記制御手段は、前記第２の作動開始手段が操作されたことを検知して前記原稿読取手段と前記画像形成手段を同期させて画像形成を行うように作動させた後に、前記第１の作動開始手段が操作されたことを検知したときは、予め設定された所定時間間隔で前記原稿読取手段と前記画像形成手段を同期させて画像形成を行う作動を終了するようにしたことを特徴とする請求項５又は請求項６に記載の画像記録装置。
【請求項８】
入力手段を備え、前記入力手段により前記所定時間を変更できるようにしたことを特徴とする請求項５乃至請求項７に記載の画像記録装置。
【請求項９】
原稿を読み取る原稿読取手段と、原稿データに基づき記録部材上に画像を形成する画像形成手段と、前記原稿読取手段と前記画像形成手段を同期させず、前記原稿読取手段と前記画像形成手段を独立して制御可能な制御手段とを備えた画像記録装置において、前記制御手段を作動させる第１の作動開始手段と、前記第１の作動開始手段の設置された前記画像記録装置上の位置とは異なる位置に第２の作動開始手段を設け、前記制御手段は、前記第２の作動開始手段が操作されたことを検知したときは、予め設定された所定時間間隔で少なくとも前記原稿読取手段を作動させるようにしたことを特徴とする画像記録装置。
【請求項１０】
前記原稿読取手段が読み取った原稿の原稿データを記憶する記憶手段を設けると共に、前記制御手段には、画像形成手段により前記記憶手段に記憶された前記原稿データに基づき記録部材上に画像を形成するプリントモードと、前記記憶手段に記憶された原稿データを外部情報機器に出力するデータ出力モードとを備えたことを特徴とする請求項９に記載の画像記録装置。
【請求項１１】
前記制御手段は、前記第２の作動開始手段が操作されたことを検知したときは、予め設定された所定時間間隔で繰り返して、少なくとも前記原稿読取手段を作動させるようにしたことを特徴とする請求項９又は請求項１０に記載の画像記録装置。
【請求項１２】
前記制御手段は、前記第２の作動開始手段が操作されたことを検知して少なくとも前記原稿読取手段を作動させた後に、前記第１の作動開始手段が操作されたことを検知したときは、少なくとも前記原稿読取手段の作動を終了するようにしたことを特徴とする請求項９又は請求項１１に記載の画像記録装置。
【請求項１３】
入力手段を備え、前記入力手段により前記所定時間の変更及び前記プリントモードと前記データ出力モードの選択ができるようにしたことを特徴とする請求項９乃至請求項１１に記載の画像記録装置。
【発明の詳細な説明】
【０００１】
【発明の属する技術分野】
本発明は、原稿を読み取る読取装置を備えた複写機、スキャナー等の画像記録装置に関し、特に、本等の厚手の原稿を読み取らせる場合に、足や膝、肘等による操作で画像記録装置の読取作動を開始できる作動開始手段を備えた画像記録装置に関する。
【０００２】
【従来の技術】
従来の複写機やスキャナー等の画像記録装置で原稿を読み取る場合は、画像記録装置のプラテンガラスカバーを開き、画像記録装置の上部に設けられたプラテンガラス面上の所定位置に原稿を設置した後にプラテンガラスカバーを閉じ、画像記録装置の上部で、かつ、プラテンガラスの近傍に設けられた作動開始手段としての操作スイッチを押すことにより、画像記録装置の原稿読取手段が原稿の読取作動を開始するようになっていた。
【０００３】
原稿が１枚毎に分離されている場合は、プラテンガラスカバーの開閉作業もプラテンガラス面上の所定位置に１枚の原稿を設置する作業も比較的容易に行え、特に、１枚ごとに分離された複数枚の原稿を読み取る際には、最近では、原稿自動送り装置（ＡＤＦ）が付設されていることが多いので、ＡＤＦを利用すると短時間に迅速に読み取ることができて便利になっている。
【０００４】
ところが、本等の厚手の原稿を読み取らせる場合は、プラテンガラスカバーを開いた状態で、プラテンガラス上に、例えば本を置き、所望の頁をめくり、裏返して、プラテンガラス面上の所定位置に所望の頁を開いた状態で両手で本を押さえつけた後に、操作スイッチを押さねばならず、操作スイッチを押すために片手を放した瞬間に本がプラテンガラス面上の所定位置からずれてしまったりするなど、作業が複雑で時間がかかるばかりでなく、きれいに本の頁を読み取らせる作業は極めて煩雑であった。
【０００５】
そこで、操作スイッチを操作しやすくするために、オペレータが操作しやすい位置に操作部ユニットを着脱自在に装着できるようにして、オペレータの利き手に拘わらず操作しやすい方向に装着して、複写機またはプリンター等の画像形成装置の操作性の向上を図るようにした技術が開示されている（例えば、特許文献１参照。）。
【０００６】
しかしながら、本等の厚手の原稿を読み取らせる場合には、前述のように頁を開いた状態で本等の厚手の原稿をプラテンガラス面上の所定位置に両手で押さえつけるようにするために、両手が使用できないことが多いので、前述の技術のように操作ユニットの装着位置を変更しただけでは、両手が使用できない状態で操作ユニットを操作することは困難である。
【０００７】
従って、原稿を読み取らせる場合に、手で画像記録装置の操作をすることが困難な場合でも容易に画像記録装置の操作が可能で、本等の厚手の原稿の頁をめくったりする準備作業に必要な時間を考慮した作動を行う画像記録装置が求められていた。
【０００８】
【特許文献１】
特開平８−１４６６８８号公報
【０００９】
【発明が解決しようとする課題】
本発明は、上記問題に鑑み、本等の厚手の原稿を読み取らせる場合に、使用者が両手を使用していて、手で画像記録装置の操作をすることが困難な場合でも、足や膝、肘等で容易に操作可能な位置に別の操作スイッチを設けると共に、別の操作スイッチが操作されたときは、使用者の原稿を読み取らせる準備作業に必要な時間を設けて読取作動が行えるようにした画像記録装置を提供することを目的とする。
【００１０】
【課題を解決するための手段】
上記問題を解決するために、本発明においては、本等の厚手の原稿を読み取らせる際に、使用者は両手で原稿をプラテンガラス面上の所定位置に押さえつけて読み取らせることが多く、従来の画像記録装置に備えられた作動開始手段としての操作スイッチだけでは、操作が困難なことに着目した。
【００１１】
そして、前述の作動開始手段の他に、使用者が両手を使用していて、手で画像記録装置の操作をすることが困難な場合でも、足や膝、肘等で操作が容易に行える位置に別の操作スイッチを設けることを見出した。
【００１２】
更に、別の操作スイッチが操作されたときは、使用者が本の頁をめくったりする準備作業に必要な時間を設けて効率的に原稿の読取作動が行えるように、所定の時間間隔で画像記録装置により原稿の読取作動が行えるようにすることを見出したのである。
【００１３】
すなわち、請求項１に記載の発明は、原稿を読み取る原稿読取手段と、前記原稿読取手段を制御する制御手段とを備えた画像記録装置において、前記制御手段を作動させる第１の作動開始手段と、前記第１の作動開始手段の設置された前記画像記録装置上の位置とは異なる位置に第２の作動開始手段を設け、前記制御手段は、前記第２の作動開始手段が操作されたことを検知したときは、予め設定された所定時間間隔で前記原稿読取手段を作動させるようにしたことを特徴とする。
【００１４】
これにより、特殊で複雑な手段を設けたり、複雑な制御を行わせることなく、画像記録装置の操作が足や膝、肘等で容易に行えるようになったので誤操作がなく、使用者が両手を使用して本等の厚手の原稿を読み取らせる煩雑な準備作業に専念でき、また、準備作業に必要な時間を設けたので効率的に原稿の読取作動を行うことができる安価な画像記録装置を提供できる。
【００１５】
請求項２に記載の発明は、請求項１に記載の発明において、前記制御手段は、前記第２の作動開始手段が継続して操作されていることを検知したときは、予め設定された所定時間間隔で前記原稿読取手段を繰り返して作動させるようにしたことを特徴とする。
【００１６】
これにより、本等の厚手の原稿から複数の頁を読み取らせたりする場合に、第２の作動開始手段を足や膝、肘等で操作した状態を継続させれば、予め設定された所定時間間隔で繰り返して原稿を読み取らせることができるので、従来のように画像記録装置の操作等が気になり、あわてて、かえって準備作業等に手間取ることなく、使用者は前述の煩雑な準備作業に専念でき、短時間で効率的に原稿の読取作動を行うことができる安価な画像記録装置を提供できる。
【００１７】
請求項３に記載の発明は、請求項１又は請求項２に記載の発明において、前記制御手段は、前記第２の作動開始手段が操作されたことを検知して前記原稿読取手段を作動させた後に、前記第１の作動開始手段が操作されたことを検知したときは、前記原稿読取手段の作動を終了するようにしたことを特徴とする。
【００１８】
これにより、使用者が必要な原稿を読み取らせ、前述の煩雑な準備作業を終了したときに、手が使用できる状態となるので、第１の作動開始手段を操作することにより、確実に画像記録装置の読取作動を終了することができる。
【００１９】
請求項４に記載の発明は、請求項１乃至請求項３に記載の発明において、入力手段を備え、前記入力手段により前記所定時間を変更できるようにしたことを特徴とする。
【００２０】
これにより、使用者が必要とする準備作業の時間を設定でき、効率的に原稿を読み取らせることができる。
【００２１】
請求項５に記載の発明は、原稿を読み取る原稿読取手段と、前記原稿読取手段が読み取った原稿の原稿データに基づき記録部材上に画像を形成する画像形成手段と、前記原稿読取手段と前記画像形成手段を同期させて画像形成を行う制御手段とを備えた画像記録装置において、前記制御手段を作動させる第１の作動開始手段と、前記第１の作動開始手段の設置された前記画像記録装置上の位置とは異なる位置に第２の作動開始手段を設け、前記制御手段は、前記第２の作動開始手段が操作されたことを検知したときは、予め設定された所定時間間隔で前記原稿読取手段と前記画像形成手段を同期させて画像形成を行うようにしたことを特徴とする。
【００２２】
これにより、使用者は、原稿を読み取らせる煩雑な準備作業で両手が使用できなくても、原稿読取手段と前記画像形成手段を同期させて作動させ、容易に必要な原稿の画像形成を行うことができる画像記録装置を提供できる。
【００２３】
請求項６に記載の発明は、請求項５に記載の発明において、前記制御手段は、前記第２の作動開始手段が操作されたことを検知したときは、予め設定された所定時間間隔で繰り返して前記原稿読取手段と前記画像形成手段を同期させて画像形成を行うようにしたことを特徴とする。
【００２４】
これにより、本等の厚手の原稿から複数の頁を読み取らせたりする場合に、第２の作動開始手段を一度操作するだけで、前述の煩雑な準備作業に専念できるので、短時間で効率的に必要な原稿の画像形成を行うことができる。
【００２５】
請求項７に記載の発明は、請求項５又は請求項６に記載の発明において、前記制御手段は、前記第２の作動開始手段が操作されたことを検知して前記原稿読取手段と前記画像形成手段を同期させて画像形成を行うように作動させた後に、前記第１の作動開始手段が操作されたことを検知したときは、予め設定された所定時間間隔で前記原稿読取手段と前記画像形成手段を同期させて画像形成を行う作動を終了するようにしたことを特徴とする。
【００２６】
これにより、使用者が必要な原稿を読み取らせ、前述の煩雑な準備作業を終了したときに、手が使用できる状態となるので、第１の作動開始手段を操作することにより、確実に画像形成装置の読取作動を終了することができる。
【００２７】
請求項８に記載の発明は、請求項５乃至請求項７に記載の発明において、入力手段を備え、前記入力手段により前記所定時間を変更できるようにしたことを特徴とする。
【００２８】
これにより、使用者が必要とする準備作業の時間を設定でき、効率的に原稿の画像形成を行うことができる。
【００２９】
請求項９に記載の発明は、原稿を読み取る原稿読取手段と、原稿データに基づき記録部材上に画像を形成する画像形成手段と、前記原稿読取手段と前記画像形成手段を同期させず、前記原稿読取手段と前記画像形成手段を独立して制御可能な制御手段とを備えた画像記録装置において、前記制御手段を作動させる第１の作動開始手段と、前記第１の作動開始手段の設置された前記画像記録装置上の位置とは異なる位置に第２の作動開始手段を設け、前記制御手段は、前記第２の作動開始手段が操作されたことを検知したときは、予め設定された所定時間間隔で少なくとも前記原稿読取手段を作動させるようにしたことを特徴とする。
【００３０】
これにより、原稿を読み取らせる煩雑な準備作業で両手が使用できなくても、予め設定された所定時間間隔で少なくとも原稿読取手段を作動させることができる画像記録装置を提供できる。
【００３１】
請求項１０に記載の発明は、請求項９に記載の発明において、前記原稿読取手段が読み取った原稿の原稿データを記憶する記憶手段を設けると共に、前記制御手段には、画像形成手段により前記記憶手段に記憶された前記原稿データに基づき記録部材上に画像を形成するプリントモードと、前記記憶手段に記憶された原稿データを外部情報機器に出力するデータ出力モードとを備えたことを特徴とする。
【００３２】
これにより、予め使用者がプリントモードやデータ出力モードを選択すれば、原稿を読み取らせる際に、煩雑な準備作業で両手が使用できなくても、必要な原稿の原稿データを記憶手段に記憶させて、原稿データを出力したり、画像形成をしたりする作動を容易に行うことができる画像記録装置を提供できる。
【００３３】
請求項１１に記載の発明は、請求項９又は請求項１０に記載の発明において、前記制御手段は、前記第２の作動開始手段が操作されたことを検知したときは、予め設定された所定時間間隔で繰り返して、少なくとも前記原稿読取手段を作動させるようにしたことを特徴とする。
【００３４】
これにより、本等の厚手の原稿から複数の頁を読み取らせたりする場合に、第２の作動開始手段を一度操作するだけで、前述の煩雑な準備作業に専念できるので、短時間で効率的に少なくとも原稿読取手段を作動させて読取作動を行うことができる。
【００３５】
請求項１２に記載の発明は、請求項９又は請求項１１に記載の発明において、前記制御手段は、前記第２の作動開始手段が操作されたことを検知して少なくとも前記原稿読取手段を作動させた後に、前記第１の作動開始手段が操作されたことを検知したときは、少なくとも前記原稿読取手段の作動を終了するようにしたことを特徴とする
これにより、使用者が必要な原稿を読み取らせ、前述の煩雑な準備作業を終了したときに、手が使用できる状態となるので、第１の作動開始手段を操作することにより、少なくとも原稿読取手段の読取作動を確実に終了することができる。
【００３６】
請求項１３に記載の発明は、請求項９乃至請求項１１に記載の発明において、入力手段を備え、前記入力手段により前記所定時間の変更及び前記プリントモードと前記データ出力モードの選択ができるようにしたことを特徴とする。
【００３７】
これにより、使用者が、前述の煩雑な準備作業に必要な時間を設定したり、プリントモードとデータ出力モードを予め設定することにより、誤操作を行うことなく、前述の煩雑な準備作業に専念できるので、使用者が煩雑な準備作業で両手が使用できなくても、短時間で効率的に原稿を読み取らせたり、読み取らせた原稿データに基づく画像形成や原稿データを外部情報機器に出力したりすることができる。
【００３８】
【発明の実施の形態】
以下、本発明の実施の形態について図面を参照しながら説明するが、本発明は、これに限定されるものではない。
【００３９】
図１は、本発明に係る画像記録装置の概略図である。図２は、本発明に係る画像記録装置の回路構成図である。図３は、本発明に係る画像記録装置の第１の制御作動を示すフローチャートである。図４は、本発明に係る画像記録装置の第２の制御作動を示すフローチャートである。図５は、本発明に係る画像記録装置の第３の制御作動メインルーチンを示すフローチャートである。図６は、本発明に係る画像記録装置の第３の制御作動に係わるサブルーチンを示すフローチャートである。
【００４０】
図１により、本発明の実施の形態における画像記録装置が複写機である場合のの装置構成に関して説明する。
【００４１】
１は複写機本体、２は給紙搬送手段、３は複写機全体を移動させるための移動ローラであり、複写機本体１の上部には自動原稿送り装置（以下、ＡＤＦともいう。）４が付設されている。
【００４２】
複写機本体１は、例えば、よく知られた静電記録方式と呼ばれる複写機とし、その構造や作動に関する詳細な説明は割愛するが、複写機本体１の上部には、ＡＤＦ４を使用したときの自動原稿読取位置及び使用者が原稿を手で設置して原稿を読み取らせるときの手動原稿読取位置に、それぞれプラテンガラス（図示せず）を備えている。
【００４３】
また、図１において、複写機本体１の正面側の上部には操作部１ａが設けられ、複写機本体１の左側に原稿の画像が記録された紙等の記録部材が排出される排紙皿１ｂが設けられ、右側には記録部材を手差しで挿入できる手差し皿１ｃが設けられている。
【００４４】
操作部１ａには、通称コピー釦と呼ばれ、原稿の読み取り作動を開始する第１の操作スイッチＳＷ１（本発明の第１の作動開始手段であり、以下単にＳＷ１ともいう。）、原稿の複写枚数等の設定のための数や、後述する予め設定された所定時間間隔の時間を変更するための時間を入力する入力手段としての複数の釦型のスイッチで構成されたテンキーボード（ＴＫＢ）、各種作動モードや警告等の表示を行うことができ、また、表示されている作動モード等の表示部に指等で触れるとモード選択設定等が可能なタッチパネル方式の表示・入力装置（ＤＰＹ）が設けられている。
【００４５】
複写機本体１の内部には、例えば、プラテンガラスを介して原稿を読み取る読取光学系と読取センサを備えた原稿読取手段（図示せず）、感光体を帯電し、原稿読取部で読み取った原稿の原稿データに基づき露光し、感光体上に形成された静電潜像をトナーで顕像化する現像を行った後に、感光体から記録紙にトナー像を転写分離し、更にトナー像を記録紙等の記録部材に定着して画像を形成した後に記録紙を機外に排出する画像形成手段（図示せず）、及び、電気回路基板等からなり前述の各種手段を制御する制御手段や各種情報を記憶する記憶手段等が設けられている。
【００４６】
複写機本体１の下部には、記録部材として、例えば、各種サイズの紙等が収納されている複数の記録部材収納部から前述の画像形成手段の作動と同期して記録紙を搬送する給紙搬送手段２が設けられている。
【００４７】
また、前述の作動開始手段であるＳＷ１とは別の位置に、例えば、本等の厚手の原稿を読み取らせる際に、両手が使えないようなときに使用するための第２の操作スイッチＳＷ２（本発明の第２の作動開始手段であり、以下、単にＳＷ２ともいう。）が設けられており、詳細は後述するが、ＳＷ２が操作されたときは、本の頁をめくったり、めくった頁を複写機本体１の手動原稿読取位置に設けられたプラテンガラス面上に設置したりする使用者の準備作業を考慮して、予め設定された所定時間間隔で作動するようになっており、例えば、ＳＷ２を継続して押し続けたりする操作やＳＷ２を一度押す操作で読取作動等の予め設定された一連の作動を繰り返して行うことができる。
【００４８】
ＳＷ２は、両手で本等の厚手の原稿の読取作動を行わせるときに便利なように、例えば、肘で操作できるようにした押しボタン型の肘用のＳＷ２（ａ）が、操作部１ａの正面左側に、ＳＷ１の反対側で、かつ、ＳＷ１より大きい形状にして肘で操作しやすいように設けられている。
【００４９】
また、同様に、膝で操作できるようにした膝用のＳＷ２（ｂ）が給紙搬送部２の正面の両側に設けられ、更に、足で操作できるようにした足用のＳＷ２（Ｃ）が、左右どちらの足でも操作できるように図１において左右に長いペダル型に設けられている。
【００５０】
なお、ＳＷ２は、画像記録装置の大きさや形状に合わせて肘や膝、又は足等の何れかで操作し易い位置に設けるのが望ましく、前述の全ての位置に設けても良く、また、何れか一つを設けるようにしても良い。
【００５１】
また、ＳＷ２は、操作し易いものであれば押しボタン型やペダル型に限定されるものではないことはいうまでもない。
【００５２】
ＡＤＦ４は、複数枚の原稿を積載できる原稿積載台４ａを備え、複数枚の原稿が原稿積載台４ａに積載され、ＳＷ１が操作されると、原稿が自動的に１枚ごとに前述の複写機本体１の自動原稿読取位置に搬送され、原稿データが原稿読取手段で読み取られるようになっている。
【００５３】
また、手動で前述の手動原稿読取位置に原稿を設置して原稿データを読み取る場合は、使用者がＡＤＦ４の取手４ｂを持って、ＡＤＦ４を複写機本体１の上方に開いたり閉じたりすることができ、手動原稿読取位置に容易に原稿を設置できるようになっている。
【００５４】
図２により、本発明の実施の形態における回路構成について説明する。
画像記録装置は、複写機とスキャナーの場合があり、２００は画像記録装置としての複写機全体の回路構成を示す。
【００５５】
図２の点線で囲んだ枠内の回路構成は、例えば、プラテンガラスを介して原稿を読み取る読取光学系と読取センサを備えた読取光学装置（図示せず）を作動させて原稿を読み取る原稿読取装置１００としての回路構成で、画像記録装置が複写機の場合とスキャナーの場合とがあるが、複写機とスキャナーの両方に共通する回路構成となっている。
【００５６】
スキャナーの場合は、原稿読取装置１００はスキャナーの回路構成を示すことになり、複写機の場合は、原稿読取装置１００は複写機の原稿読取装置としての回路構成を示すことになる。
【００５７】
原稿読取装置１００は、システム制御手段１１０、インタフェース（Ｉ／Ｆ）１２０、第１の作動開始手段としてのＳＷ１  １３０、第２の作動開始手段としてのＳＷ２  １４０、表示・入力手段１５０、原稿読取手段１７０及び記憶手段１６０等で構成されている。
【００５８】
スキャナーの場合は、前述のように原稿読取装置１００がスキャナー全体の回路構成となる。
【００５９】
システム制御手段１１０は、例えば、ＣＰＵ（図示せず）を備え、予め設定された作動モード等のプログラムに基づきシステム全体の制御を行う。
【００６０】
画像記録装置が複写機の場合は、原稿を読み取る読取作動と同期して記録部材に画像を形成し機外に排出する画像形成作動を行うタイプと、読取作動と画像形成作動が同期せずに、別個に作動を行うタイプがある。
【００６１】
読取作動と同期して画像形成作動が行うタイプのものは、システム制御手段１１０が原稿読取装置１００と同期して画像形成手段２１０と給紙搬送手段２２０を制御する制御手段となる。
【００６２】
また、原稿読取装置１００の読取作動と画像形成作動が同期せずに、別個に作動を行うタイプのものは、システム制御手段１１０が原稿読取装置１００と別個に画像形成手段２１０と給紙搬送手段２２０を制御する制御手段となる。
【００６３】
また、画像記録装置がスキャナーの場合は、一般に、画像形成手段２１０と給紙搬送手段２２０を備えていないので、スキャナーのシステム制御手段１１０は、画像記録装置が複写機の場合の画像形成手段２１０と給紙搬送手段２２０を除いた回路及び画像形成手段２１０と給紙搬送手段２２０に関連する制御を除く制御を行う制御手段となる。
【００６４】
システム制御手段１１０は、ＳＷ１  １３０又はＳＷ２  １４０の何れが操作されたかを検知し、ＳＷ１  １３０が操作されたことを検知したときは、予め設定された一連の作動を実行した後に画像記録装置の作動を終了し、ＳＷ２  １４０が操作されたことを検知したときは、予め設定された一連の作動を予め設定された所定時間間隔で作動させる。
【００６５】
また、ＳＷ２  １４０が操作された状態を継続している場合は、繰り返して作動できるようになっている。
【００６６】
なお、予め設定された一連の作動とは、画像記録装置が複写機の場合は、２通りの作動があり、１つは、原稿読取装置１００における原稿読取手段１７０の作動と同期して画像形成手段２１０と給紙搬送手段２２０が作動するように設定されてる場合には、原稿読取手段１７０による原稿の読取作動から画像形成手段２１０により画像が形成された記録部材を機外に排出するまでの画像形成作動を終了するまでの作動をいう。
【００６７】
もう１つは、原稿読取手段１７０による原稿の読取作動と画像形成手段２１０による画像形成作動とが同期せず、別個に作動可能に設けられている場合は、原稿読取手段１７０による原稿の読み取りから、読み取った原稿データを記憶手段１６０に記憶するまでの読取作動、又は、記憶手段１６０から原稿データを読み出し記録部材に画像を形成し機外に排出するまでの画像形成作動をそれぞれ一連の作動という。
【００６８】
なお、この場合は、読取作動が終了した時点で画像形成手段２１０が作動可能になっている場合には、直ちに記憶手段１６０から原稿データを読み出し画像形成を実行し、画像形成手段２１０が他のデータの画像形成を行っているときは、他のデータの画像形成が終了してから記憶手段１６０から原稿データを読み出し画像形成を実行することができるようになっている。
【００６９】
また、画像記録装置がスキャナーの場合は、原稿読取手段１７０が原稿を読み取り、読み取った原稿データを記憶手段１６０に記憶するまでの読取作動を一連の作動という。
【００７０】
インタフェース（Ｉ／Ｆ）１２０は、パーソナルコンピュータ（ＰＣ）やプリンター等の外部情報機器３００と接続して各種情報の授受を行うためのものであり、例えば、複写機の場合は、システム制御手段１１０の指令により外部のＰＣから画像や記号、文字等の原稿データを入力して原稿データに基づき画像を形成し、スキャナーの場合は、読み取った原稿データを外部のＰＣやプリンターに出力することができる。
【００７１】
ＳＷ１  １３０は、一般には、押しボタン型の操作スイッチで、通常は、このＳＷ１  １３０が操作されると、システム制御手段１１０はＳＷ１  １３０が操作されたことを検知して、例えば複写機の場合は、後述する表示・入力手段１５０で設定された作動モード等に基づき、原稿読取装置１００のみを作動させてスキャナーと同様の作動を行わせたり、原稿読取装置１００の原稿読取手段１７０の作動と同期して画像形成手段２１０と給紙搬送手段２２０を作動させ画像形成を行ったり、あるいは、原稿読取装置１００の原稿読取手段１７０で原稿を読み取り、読み取った原稿データを記憶手段１６０に記憶し、原稿読取手段１７０とは同期せずに、画像形成手段２１０が他のデータの画像形成を終了し、読み取った原稿データの画像形成が可能な状態になったときに記憶手段１６０に記憶された原稿データを読み出して画像形成を行ったりする制御を実行するようになっている。
【００７２】
また、スキャナーの場合は、システム制御手段１１０は、読み取った原稿データを記憶手段１６０に記憶するようになっている。
【００７３】
ＳＷ２  １４０は、図１に示すようにＳＷ１  １３０とは異なる位置に設けられ、使用者が原稿を読み取らせる際に、両手が使用できないような場合に、肘や膝又は足等で操作することができるようになっており、ＳＷ２  １４０が操作されると、システム制御手段１１０はＳＷ２  １４０が操作されたことを検知して、例えば、ＳＷ１  １３０が操作されたときと同様の作動を、予め設定された所定時間間隔で繰り返し行うようになっている。
【００７４】
表示・入力手段１５０は、図１に示した複数の釦型のスイッチで構成されたテンキーボード（ＴＫＢ）やタッチパネル方式の表示・入力装置（ＤＰＹ）からなり、システム制御手段１１０の指令により各種作動モードや警告等の表示を行うことができ、更に、後述する予め設定された所定時間間隔の時間を変更するための時間を入力したり、また、表示されている作動モード等の表示部に指等で触れてモード選択設定等を行うことができるようになっており、表示・入力手段１５０で設定された作動モードや数値はシステム制御手段１１０に入力される。
【００７５】
またスキャナーの場合は、表示・入力手段１５０は、複写機の画像形成手段２１０と給紙搬送手段２２０に関連する表示や作動モード等の入力を除く表示や入力が行われる。
【００７６】
なお、各種作動モードとしては、複写機の場合は、用紙サイズやコピー枚数を設定するモード、両面コピー又は片面コピーを設定するモード、画像形成された記録部材が排出される向きを上向き又は下向きに選択できるモード、拡大・縮小を設定するモード等を含め複数のモードが選択できるようになっており、スキャナーの場合は、読み取る原稿のサイズや、例えば、新聞、雑誌、タイピング文章、または写真等の読み取る原稿の種類、あるいは、どの程度の解像度で読み取るか等を設定するモード等がある。
【００７７】
特に、本発明の実施の形態においては、使用者が、原稿読み取り準備作業の状況に応じて、例えば、誤操作しないようにするためにＳＷ１  １３０又はＳＷ２１４０のどちらかの操作による作動を禁止するモードや、ＳＷ２  １４０が操作された場合に、予め設定された所定時間間隔を変更するモード、連続的に繰り返して一連の作動を実行するか否かを設定するモード、繰り返す回数を設定するモード等が選択設定できる。
【００７８】
更に、読み取った原稿データを外部情報機器３００であるＰＣやプリンターにデータ出力ができるデータ出力モードや読み取った原稿データをプリント（画像形成）するだけではなく、読み取った原稿データとは異なるデータを入力してプリントすることができるプリントモード等が設けられている。
【００７９】
なお、所定時間間隔を変更する場合は、表示・入力手段１５０の表示に従い、例えば、５秒間隔の予め設定された時間設定から選択設定したり、テンキーボードから任意の時間、例えば、７秒間隔を入力することができるようになっている。
【００８０】
また、設定できる時間間隔は、複写機が必要とする一連の作動時間以下の時間、例えば、複写機が原稿を読み取り、読み取りに同期して画像形成を行うように一連の作動が設定されている場合は、この一連の作動が終了する時間より短い時間は、設定できないようになっており、また、省電モード等が設けられ、予め設定された時間以上に複写機が作動しないときは、例えば、定着装置のヒーター（図示せず）の温度を下げる等の作動を行うようにした複写機においては、その設定された時間以上に長い時間を設定することができないようになっている。
【００８１】
記憶手段１６０は、システム制御手段１１０の指示により、原稿読取手段１７０が読み取った原稿データやインタフェース（Ｉ／Ｆ）を介して外部情報機器３００から取得した画像や記号や文字等によるデータ等の各種情報を記憶したり、また、画像形成手段２１０や外部情報機器３００に記憶している各種情報を出力することができる。
【００８２】
原稿読取手段１７０は、読取光学系や読取センサを備えた読取光学装置（図示せず）からなり、システム制御手段１１０の指令により、例えば、原稿からの反射光を読取センサで読み取り、光電変換し、更に、デジタル化した原稿データを記憶手段１６０に記憶するようにしている。
【００８３】
画像形成手段２１０は、画像記録装置が複写機の場合において作動し、例えば、感光体を帯電し、原稿データに基づき露光し、感光体上に形成された静電潜像をトナーで顕像化する現像を行った後に、感光体から記録部材としての記録紙にトナー像を転写分離し、更にトナー像を記録紙に定着して画像を形成し機外に排出する画像形成作動を行う。
【００８４】
給紙搬送手段２２０は、システム制御手段１１０の指令により前述の画像形成手段２１０の作動と同期して、各種サイズの記録紙が収納されている複数の記録部材収納部から記録紙を画像形成手段２１０へと搬送する作動を行うように図示せぬ搬送装置を作動させる。
【００８５】
次に、以上の構成を有する本発明の実施の形態において、本発明の第１の作動開始手段であるＳＷ１と本発明の第２の作動開始手段であるＳＷ２を備えた画像記録装置の制御作動に関し説明する。制御作動には、大別すると３通りの制御作動があり、以下、順に説明する。
【００８６】
（１）第１の制御作動
図３により、ＳＷ１又はＳＷ２が操作された場合の画像記録装置の作動に関して説明する。前提として、画像記録装置が複写機であり、この複写機は図２に示す原稿読取手段１７０の作動と同期して画像形成手段２１０と給紙搬送手段２２０を作動させて、前述の原稿読み取りから画像形成手段２１０により画像が形成された記録部材を機外に排出するまでの一連の作動を行うものとする。
【００８７】
（ＳＴ１）
ＳＷ２がＯＮ（操作）されたか否かを判断するステップである。
【００８８】
ＳＷ２が操作されたことを図２のシステム制御手段１１０（以下、単に制御手段という）が検知したときは、次のＳＴ２ステップに進み、ＳＷ２が操作されたことを検知しなかったときは、ＳＴ７ステップに飛ぶ。
【００８９】
（ＳＴ２）
読取部（図２の原稿読取手段１７０）が待機中か否かを判断するステップである。
【００９０】
読取部が作動中は原稿データの読取作動を優先するため、ＳＷ２が操作されたことを制御手段が検知しても制御手段はＳＷ２の操作を受け付けず（ＳＷ２の操作による作動を行わないで）、ＳＴ１ステップに戻るようになっている。
【００９１】
読取部が作動していない状態の待機中になると、ＳＷ２が操作されたことを制御手段が受け付けて、次のＳＴ３ステップに進む。
【００９２】
従って、例えば、ＳＷ２が足で操作できる操作スイッチの場合に、足で操作スイッチを踏み続けていれば、読取部が読み取り作動中はＳＷ２を受け付けず、待機中の状態になればＳＷ２を受け付けるようになり、仮に、読取部が読み取り作動中に操作スイッチから一旦足を放したりして間欠的にＳＷ２を操作しても、読取部が待機中の状態に成ったときにＳＷ２が操作されていれば制御手段はＳＷ２を受け付けるようになっている。
【００９３】
つまり、両手が使えなくてもＳＷ２の操作が簡単で容易であるため、本等の厚手の原稿の頁をめくったりする作業に専念できるようになっている。
【００９４】
また、読取部が待機中になったときに制御手段がＳＷ２を受け付けるので、複写機が読取作動の作動を開始して、次の読取作動を開始できるまでの時間間隔が、常に一定時間となり、使用者も次の読取作動が開始できるまでのタイミングをつかみやすく効率的な作業が行える。
【００９５】
（ＳＴ３）
タイマーの起動を行うステップである。
【００９６】
制御手段は予め設定された所定時間間隔で作動を繰り返して行うために、予め設定された時間をタイマーに設定し、起動すると、次のＳＴ４ステップに進む。
【００９７】
なお、所定時間は、前述のように、図２の表示・入力手段１５０で変更することができ、変更した場合は、変更した時間が所定時間としてタイマーに設定される。
【００９８】
（ＳＴ４）
コピー作動を行うステップである。
【００９９】
この複写機は、前述のように、原稿を読み取る読取作動に同期して記録部材に画像を形成し機外に排出する画像形成作動を行うものであり、制御手段は、図２に示す原稿読取手段１７０が原稿を読み取り、読み取った原稿の原稿データに基づき画像形成手段２１０で記録部材上に画像を形成するようにしており、この一連の作動が完了すると次のＳＴ５ステップに進む。
【０１００】
なお、制御手段は、原稿読取手段１７０が読み取った原稿データを図２の記憶手段１６０に記憶した後に画像形成手段２１０を作動させて、記録部材上に画像を形成するようにしても良く、また、読み取った原稿の原稿データを記憶手段１６０に記憶せず、直接、原稿データに基づき画像形成手段２１０により画像を形成するようにしても良い。
【０１０１】
この複写機において一連の作動を行う時間は、用紙サイズ等により原稿を読み取る読取作動に要する時間又は画像形成作動に要する時間は変化し、原稿を読み取る読取作動に要する時間又は画像形成作動に要する時間の長い方の時間に影響を受けることになる。
【０１０２】
（ＳＴ５）
ＳＷ１がＯＮ（操作）されたか否かを判断するステップである。
【０１０３】
ＳＷ１が操作されなかったときは、次のＳＴ６ステップに進み、ＳＷ１が操作されたことを制御手段が検知したときは、作動を終了するようになっている。
【０１０４】
つまり、本発明の実施の形態においては、例えば、ＳＷ２が足踏み式の操作スイッチである場合に、ＳＷ２の操作スイッチを踏み続けてＳＷ２が操作された状態が継続している場合は、予め設定された所定時間間隔で前述の一連の作動を繰り返して行うため、ＳＷ２による繰り返し作動を終了したい場合は、ＳＷ１を操作することにより、両手が使用できなかった状態から手が使える状態になった、すなわち、両手を使用して本等の厚手の原稿を読み取らせる作業が完了したものと見なし、作動を終了することにしている。
【０１０５】
（ＳＴ６）
タイマーが予め設定した所定時間のカウントアップ（カウントを終了）したか否かを判断するステップである。
【０１０６】
タイマーがカウントアップしていないときはＳＴ５ステップに戻り、カウントアップしたときには、ＳＴ１ステップに飛ぶ。
【０１０７】
（ＳＴ７）
ＳＷ１が操作されたか否かを判断するステップである。
【０１０８】
ＳＷ２が操作されず、ＳＷ１が操作されたことが制御手段で検知された場合は、ＳＷ１の操作により、原稿を読み取る読取作動に同期して画像形成作動を行う一連の作動を行うために次のＳＴ８ステップに進み、ＳＷ１が操作されたことが制御手段で検知されなかったときは、ＳＴ１ステップに戻る。
【０１０９】
（ＳＴ８）
読取部が待機中か否かを判断するステップである。
【０１１０】
読取部が作動中は原稿データの読取作動を優先するため、ＳＷ１が操作されたことを制御手段が検知しても制御手段はＳＷ１の操作を受け付けず（ＳＷ１の操作による作動を行わないで）、ＳＴ７ステップに戻るようになっている。
【０１１１】
読取部が作動していない状態の待機中になると、ＳＷ１が操作されたことを制御手段が受け付けて、次のＳＴ９ステップに進む。
【０１１２】
（ＳＴ９）
複写機がコピー作動を行うステップである。
【０１１３】
この複写機は、前述のように、原稿を読み取る読取作動に同期して画像形成作動（コピー作動）を行うことで一連の作動を行うものであり、ＳＷ１の操作によりこの一連の作動が完了すると作動を終了し、制御手段は、例えば、複写機の記録部材に形成された画像を定着させる定着装置のヒーター（図示せず。）の温度を下げたりする作動を行い待機モードにはいる。
【０１１４】
以上のように、本発明の実施の形態においては、制御手段がＳＷ１又はＳＷ２が操作されたことを検知して、ＳＷ１が操作されたときは原稿を読み取る読取作動に同期して画像形成作動を行う一連の作動を行って作動を終了し、ＳＷ２が操作されたときは、前述の一連の作動を予め設定された所定時間間隔で作動し、また、ＳＷ２が操作された状態を継続しているときは、一連の作動を予め設定された所定時間間隔で繰り返して作動することができるようになっており、繰り返し作動を終了する場合は、コピー作動実行後にＳＷ１を操作することで終了できるようになっている。
【０１１５】
なお、後述する第２の制御作動のように、ＳＷ２が一度操作されると制御手段は予め設定された所定時間間隔で繰り返し一連の作動を実行するようにして、繰り返し作動を終了する場合は、コピー作動実行後にＳＷ１を操作することで終了できるようにしても良い。
（２）第２の制御作動
図４により、ＳＷ１又はＳＷ２が操作された場合の画像記録装置の作動に関して説明する。前提として、画像記録装置がスキャナーであり、このスキャナーは図２に示す原稿読取装置１００の原稿読取手段１７０が原稿を読み取り、読み取った原稿データを記憶手段１６０に記憶するまでの一連の作動を行うものとする。
【０１１６】
なお、第２の制御作動が第１の制御作動と異なる点は、第１の制御作動が、原稿を読み取る読取作動に同期して画像形成作動を行う一連の作動を行うようにした複写機であったが、第２の制御作動は、図２の原稿読取装置１００の原稿読取手段１７０が原稿を読み取り、読み取った原稿データを記憶手段１６０に記憶するまでの一連の作動を行うスキャナーである点と、ＳＷ２が一度操作されたことを制御手段が検知すると、予め設定された所定時間間隔で予め設定された一連の作動を繰り返し実行するようにした点であり、その他に関しては基本的には第１の制御作動と同じである。
【０１１７】
そこで、第２の制御作動に関しては、第１の制御作動と異なるステップについてのみ説明する。
【０１１８】
（ＳＴ２）
読取部（図２の原稿読取手段１７０）が待機中か否かを判断するステップである。
【０１１９】
読取部が作動中は原稿データの読取作動を優先するため、ＳＷ２が操作されたことを制御手段が検知しても制御手段はＳＷ２による作動を行わず、読取部が作動していない状態の待機中になると、次のＳＴ３ステップに進む。
【０１２０】
つまり、第１の制御作動と異なる作動を行うステップで、一度ＳＷ２が操作されたことを制御手段が検知すると、次にＳＷ１が操作されるまでの間、制御手段は予め設定された所定時間間隔で一連の作動を繰り返して実行できるようになっている。
【０１２１】
（ＳＴ４）
スキャナーが読取作動を行うステップである。前述のように、このスキャナーは原稿を読み取り、読み取った原稿データを記憶する一連の作動を行うものであるため、この一連の作動が完了すると次のＳＴ５ステップに進む。
【０１２２】
（ＳＴ６）
タイマーが予め設定した所定時間のカウントアップ（カウントを終了）したか否かを判断するステップである。
【０１２３】
タイマーがカウントアップしていないときはＳＴ５ステップに戻り、カウントアップしたときには、ＳＴ２ステップに飛ぶ。
【０１２４】
このステップは第１の制御作動と異なり、カウントアップした場合には、ＳＷ２が操作されたか否かを判断するＳＴ１ステップには戻らないので、ＳＷ２の操作を繰り返して実行する必要がなく、使用者は原稿を読み取らせるための準備作業、例えば、本の頁をめっくたりする作業に専念でき、効率的な作業が行えるようになっている。
【０１２５】
（ＳＴ８）
読取部（図２の原稿読取手段１７０）が待機中か否かを判断するステップである。
【０１２６】
読取部が作動中は原稿データの読取作動を優先するため、ＳＷ１が操作されたことを制御手段が検知しても制御手段はＳＷ１の操作を受け付けず（ＳＷ１の操作による作動を行わないで）、読取部が作動していない状態の待機中になると、次のＳＴ９ステップに進む。
【０１２７】
（ＳＴ９）
スキャナーが読取作動を行うステップである。前述のように、このスキャナーは原稿を読み取り、読み取った原稿データを記憶する一連の作動を行うものであり、ＳＷ１の操作によりこの一連の作動が完了するとスキャナーの作動を終了する。
【０１２８】
以上のように、第２の制御作動では、一度ＳＷ２を操作するだけで、予め設定された所定時間間隔で一連の作動を繰り返して実行できるようになっており、繰り返し作動を終了したい場合は、読取作動の実行後にＳＷ１を操作すればよいので、第１の制御作動のように、例えば、ＳＷ２が足で操作できる操作スイッチの場合に、操作スイッチの踏み忘れ等がなく作業の体勢も楽になり、本の頁をめくったりする作業に専念でき、効率的な作業が行えるので所定時間間隔も短く設定することもできるようになる。
【０１２９】
また、画像記録装置としてスキャナーの場合について説明したが、後述する複写機のように、原稿を読み取る読取作動と画像を形成する画像形成作動とが同期せず、別個に作動することができるようになっている場合には、図２に示す複写機の原稿読取装置１００の作動が、この第２の制御作動に相当する作動を行うことになる。
【０１３０】
（３）第３の制御作動
図５及び図６により、ＳＷ１又はＳＷ２が操作された場合の画像記録装置の作動に関して説明する。図５は第３の制御作動のメインルーチン（主作動）を示し、図６はメインルーチンを実行するためのサブルーチン（補助作動：ＳＵＢ）を示す。
【０１３１】
前提として、画像記録装置が複写機であり、この複写機は第１の制御作動の場合の複写機とは異なり、図２に示す原稿読取手段１７０と画像形成手段２１０が同期せずに別個に作動可能になっている。
【０１３２】
つまり、原稿読取手段１７０は原稿を読み取り、読み取った原稿データを図２の記憶手段１６０に記憶する一連の作動を行い、画像形成手段２１０は、他のデータの画像形成が終了している場合に、記憶手段１６０から原稿データを読み出して画像形成を行うようになっている。
【０１３３】
なお、第３の制御作動が第２の制御作動と異なる点は、第２の制御作動が、原稿読取手段１７０が原稿を読み取り、読み取った原稿データを記憶手段１６０に記憶するまでの一連の作動、すなわち読取作動を行うスキャナーであったが、第３の制御作動は、スキャナーと同様の読取作動を行う他に、画像形成作動を行うことができる複写機である点と、読取作動と画像形成作動とが同期せずに行われる点である。
【０１３４】
複写機の読取作動と画像形成作動とが同期せずに行われるため、図２の複写機の画像形成手段２１０が給紙搬送手段２２０と連携して作動することによりプリンターとして作動する。よって、第３の制御作動の説明においては、以下、画像形成手段２１０と給紙搬送手段２２０を含めてプリンターという。
【０１３５】
また、本発明は、ＳＷ２が操作された場合の制御作動に特徴を有するものであるから、説明を簡単にするために、ここでは、特に、ＳＷ１が操作された場合の制御作動に関しては、説明を割愛したが、複写機の読取作動と画像形成作動は適切に行われるものとする。
【０１３６】
（ＳＴ１）
ＳＷ２がＯＮ（操作）されたか否かを判断するステップである。
【０１３７】
ＳＷ２が操作されたことを図２のシステム制御手段１１０（以下、単に制御手段という）が検知したときは、次のＳＴ２ステップに進み、ＳＷ２が操作されたことを検知しなかったときは、ＳＷ２が操作されるのを待っている待機状態を続ける。
【０１３８】
なお、実際には、第２の制御作動と同様にＳＷ１が操作されたか否かを判断するステップに飛び、ＳＷ１が操作されたことが制御手段で検知されたときは、原稿を読み取り、読み取った原稿データに基づき画像形成を行うようになっているが、前述のように、説明を簡単にするために、図５ではこの作動に関しては割愛した。
【０１３９】
（ＳＴ２）
読取部（図２の原稿読取手段１７０）が待機中か否かを判断するステップである。
【０１４０】
読取部が作動中は原稿データの読取作動を優先するため、ＳＷ２が操作されたことを制御手段が検知しても制御手段はＳＷ２による作動を行わず、読取部が作動していない状態の待機中になると、次のＳＴ３ステップに進む。
【０１４１】
つまり、第２の制御作動と同様に、一度ＳＷ２が操作されたことを制御手段が検知すると、次にＳＷ１が操作されるまでの間、制御手段は予め設定された所定時間間隔で一連の作動を繰り返して実行できるようになっている。
【０１４２】
（ＳＴ３）
タイマーの起動を行うステップである。制御手段は予め設定された所定時間間隔で作動を繰り返して行うために、予め設定された時間をタイマーに設定し、起動すると、次のＳＴ４ステップに進む。
【０１４３】
所定時間は、前述のように、図２の表示・入力手段１５０で変更することができ、変更した場合は、変更した時間が所定時間としてタイマーに設定される。
【０１４４】
（ＳＴ４）
読取作動を行うステップである。前述のように、この複写機は、読取作動と画像形成作動とが同期せずに行われるため、ここでは、読取作動として図２の原稿読取手段１７０が原稿を読み取り、読み取った原稿データを図２の記憶手段１６０に記憶する一連の作動を行い、この一連の作動が完了すると次のＳＴ５ステップに進む。
【０１４５】
（ＳＴ５）
プリントか否かを判断するステップである。
【０１４６】
図２の表示・入力手段１５０で、プリントモードとデータ出力モードが選択設定できるようになっており、プリントモードはＳＴ４ステップで読み取られた原稿データを図２の画像形成手段２１０でプリント（画像形成）することができ、データ出力モードはＳＴ４ステップで読み取られた原稿データを図２に示す外部情報機器３００である、例えば、外部のＰＣやプリンター等にインタフェース（Ｉ／Ｆ）を介して出力することができる。
【０１４７】
プリントモードが選択されている場合は、次のＳＴ６ステップに進み、選択されていない場合は、ＳＴ７ステップに飛ぶ。
【０１４８】
（ＳＴ６）
プリンターＳＵＢ（サブルーチン）を実行させるステップである。
【０１４９】
つまり、このステップでは、制御手段は読取作動とは同期させず、別の系統による作動としてプリンターＳＵＢにより図２に示す画像形成手段２１０と給紙搬送手段２２０とをプリンター（第３の制御作動の説明においては、画像形成手段２１０と給紙搬送手段２２０とを合わせて、以下、プリンターともいう。）として作動させ、プリントを実行する。
【０１５０】
なお、ＳＵＢを実行させた場合は、ＳＵＢが終了するまでＳＵＢの動作が継続される。
【０１５１】
従って、プリンターＳＵＢを実行すると、次のＳＴ８ステップに進む。
（ＳＴ７）
データ出力ＳＵＢをを実行させるステップである。
【０１５２】
制御手段は読取作動とは同期させず、別の系統による作動としてデータ出力ＳＵＢにより図２に示す記憶手段１６０に記憶されている原稿データを出力する。
【０１５３】
なお、プリンターＳＵＢと同様に、データ出力ＳＵＢが実行されるとデータ出力ＳＵＢが終了するまで動作が継続される。
【０１５４】
従って、データ出力ＳＵＢを実行すると、次のＳＴ８ステップに進む。
（ＳＴ８）
ＳＷ１がＯＮ（操作）されたか否かを判断するステップである。
【０１５５】
第２の制御作動のＳＴ５ステップと基本的には同じで、ＳＷ１が操作されなかったときは、次のＳＴ９ステップに進み、ＳＷ１が操作されたことを制御手段が検知したときは、予め設定された所定時間間隔で読取作動の繰り返し作動を終了するためにＳＴ１０に飛ぶようになっている。
【０１５６】
（ＳＴ９）
タイマーが予め設定した所定時間のカウントアップ（カウントを終了）したか否かを判断するステップである。
【０１５７】
第２の制御作動のＳＴ６と基本的には同じで、タイマーがカウントアップしていないときはＳＴ８ステップに戻り、カウントアップしたときには、ＳＴ２ステップに飛ぶ。
【０１５８】
（ＳＴ１０）
プリンターＳＵＢが終了したか否かを判断するステップである。
【０１５９】
プリントが完了していない場合はＳＴ１０ステップに戻り、プリンターＳＵＢが終了するまで動作が継続される。
【０１６０】
（ＳＴ１１）
データ出力ＳＵＢが終了したか否かを判断するステップである。
【０１６１】
データ出力が完了していない場合はＳＴ１１ステップに戻り、データ出力ＳＵＢが終了するまで動作が継続される。
【０１６２】
従って、プリントやデータ出力が完了した場合は、全ての作動が終了する。
次に、図６（Ａ）に示すプリンターＳＵＢについて、説明する。
【０１６３】
（ＳＴ２０）
プリンター作動可能か否かを判断するステップである。
【０１６４】
つまり、複写機の読取作動と画像形成作動とが同期せずに行われるため、プリンターが作動可能な待機中であれば、直ちに、次のＳＴ２１ステップに進み、プリンターが他のデータのプリントを実行している場合は他のデータのプリントの終了を待ち、終了すると、次のＳＴ２１ステップに進む。
【０１６５】
（ＳＴ２１）
原稿データ有りか否かを判断するステップである。
【０１６６】
ＳＴ４ステップで図２の原稿読取手段１７０が読み取った原稿データを図２の記憶手段１６０が記憶しているので、記憶手段１６０に記憶した原稿データが有る場合は、次のＳＴ２２に進み、すでに記憶手段１６０に記憶した原稿データ読み出されてプリントされ、原稿データがなくなってしまった場合は、エンド指示で、プリンターＳＵＢを終了させる。
【０１６７】
（ＳＴ２２）
プリントを実行するステップである。
【０１６８】
プリンターを作動させて、図２の記憶手段１６０に記憶された原稿データを読み出し、読み出した原稿データに基づき記録部材にプリントを行うステップである。記憶手段１６０に記憶された原稿データがなくなるまで繰り返してＳＴ２０に飛びプリント作動を実行する。
【０１６９】
次に、図６（Ｂ）に示すデータ出力ＳＵＢについて、説明する。
（ＳＴ３０）
原稿データ有りか否かを判断するステップである。
【０１７０】
図２の記憶手段１６０に記憶した原稿データが有る場合は、次のＳＴ３１に進み、すでに記憶手段１６０に記憶した原稿データが読み出されて、データ出力する原稿データがなくなってしまった場合は、エンド指示で、プリンターＳＵＢを終了させる。
【０１７１】
（ＳＴ３１）
データ出力を実行するステップである。
【０１７２】
制御手段は、図２に示すように記憶手段１６０に記憶されている原稿データをインタフェース（Ｉ／Ｆ）１２０を介して外部情報機器３００に出力し、記憶手段１６０に記憶された原稿データがなくなるまで繰り返してＳＴ３０に飛びデータ出力作動を実行する。
【０１７３】
以上のように、第３の制御作動は、原稿読取手段１７０と画像形成手段２１０が同期せずに別個に作動するようになっている図２に示す回路構成を有する複写機では、ＳＷ２を操作するだけで、原稿読取手段１７０は、原稿を読み取り、読み取った原稿データを記憶手段１６０に記憶する一連の作動を予め設定した所定時間間隔で繰り返して実行できる一種のスキャナーとして作動するようになり、画像形成手段２１０と給紙搬送手段２２０は連携してプリンターとして作動するようになる。
【０１７４】
従って、スキャナーとしては、原稿読取手段１７０が読み取った原稿データを記憶手段１６０に記憶するだけでなく、原稿読取手段１７０の作動中であっても、制御手段が記憶手段１６０から読み出して外部情報機器３００にデータ出力することができるようになっている。
【０１７５】
また、プリンターとしては、スキャナーが読み取った原稿データをプリントできるだけでなく、例えば、ＳＷ２の待機中や読取作動中等で原稿データのプリント作動を実行していない場合に、スキャナーの読取作動で取得された原稿データとは異なる他のデータが入力されれば、プリントを実行することができるようになっている。
【０１７６】
以上、本発明の実施の形態においては、使用者はＳＷ２を操作するだけで、本等の厚手の原稿を読み取らせる際に、本を抱えたり頁をめくったり、所望の頁を開いたまプラテンガラス面に本を設置したりする煩雑な準備作業を行うために両手が使用できなくても足や膝や肘等で操作が容易におこなえ、しかも、使用者の煩雑な作業に必要な時間を設けて画像記録装置が作動するようにしたので、適切な時間配分ができ無駄な時間がなくなり、効率的な作業を行えるようになった。
【０１７７】
また、足や膝や肘等で操作できるＳＷ２を別に設けるだけで、特殊な手段を必要としないので、安価で操作性に優れた画像記録装置を提供できるようになった。
【０１７８】
なお、ＳＷ２を操作して、予め設定された所定時間間隔で画像記録装置の読取作動等を開始させた後に、ＳＷ１が操作されたときに、読取作動等を終了するようにしたが、これに限らず、例えば、ＳＷ２が所定時間以上操作されなかったことを検出して読取作動等を終了するようにしたり、ＳＷ２が再度操作されたときに読取作動等を終了するようにしても良い。
【０１７９】
【発明の効果】
第１の作動開始手段とは異なる位置に第２の作動開始手段を設けることにより、使用者が本等の厚手の原稿を読み取らせる際に、煩雑な準備作業を行うために両手が使用できなくても、足や膝や肘等で操作が簡単で容易に行え、しかも、使用者の煩雑な作業に必要な時間を設けて画像記録装置が作動するようにしたので、前述の煩雑な準備作業等を適切な時間配分で行うことができ、無駄な時間がなくなり、効率的な作業が行えるようになった。
【０１８０】
また、足や膝や肘等で操作できる第２の操作スイッチを別に設けるだけで、特殊で複雑な手段を必要としないので、安価で操作性に優れた画像記録装置を提供できるようになった。
【０１８１】
また、入力手段で、使用者が準備作業に必要な時間の変更や、プリントモード及びデータ出力モード等の作動モードも予め設定できるので、使用者は、煩雑な準備作業に専念でき、誤操作のない、効率的な作業が行えるようになった。
【図面の簡単な説明】
【図１】本発明に係る画像記録装置の概略図である。
【図２】本発明に係る画像記録装置の回路構成図である。
【図３】本発明に係る画像記録装置の第１の制御作動を示すフローチャートである。
【図４】本発明に係る画像記録装置の第２の制御作動を示すフローチャートである。
【図５】本発明に係る画像記録装置の第３の制御作動メインルーチンを示すフローチャートである。
【図６】本発明に係る画像記録装置の第３の制御作動に係わるサブルーチンを示すフローチャートである。
【符号の説明】
１  複写機本体
１ａ  操作部
１ｂ  排紙皿
１ｃ  手差し皿
２  給紙搬送手段
３  移動ローラ
４  自動原稿送り装置
４ａ  原稿積載台
４ｂ  取手
ＳＷ１  第１の操作スイッチ
ＳＷ２  第２の操作スイッチ
ＤＰＹ  表示・入力装置
ＴＫＢ  テンキーボード
【図１】
2004180091.tif 000003
【図２】
2004180091.tif 000004
【図３】
2004180091.tif 000005
【図４】
2004180091.tif 000006
【図５】
2004180091.tif 000007
【図６】
2004180091.tif 000008